(57)【要約】【課題】  ＭＰ３プレーヤを着脱可能なカーオーディオシステムを提供する。【解決手段】  カーオーディオシステムに関して特に携帯用ＭＰ３プレーヤの着脱ができて，携帯用ＭＰ３プレーヤの装着時のみにカーオーディオシステムが作動してカーオーディオシステムの盗難を防止する事ができる。また，カーオーディオシステムは，車両に備わるバッテリを電源として与えられ，携帯用ＭＰ３プレーヤと一体化するように装着し，携帯用ＭＰ３プレーヤの装着の際に上記電源を与えられて作動し，ＭＰ３プレーヤからオーディオ信号が入力されるとスピーカを通じて出力し，ＭＰ３プレーヤの表示部をカーオーディオシステムの表示部として共有できる。【選択図】    図２
2006155848.tif 000002
【特許請求の範囲】
【請求項１】
カーオーディオシステムにおいて：
車両の電源の印加によって動作し，所定の表示データの入力を受けて表示する表示部を備える携帯用ＭＰ３プレーヤと；
前記携帯用ＭＰ３プレーヤと一体化するように装着可能であり，前記携帯用ＭＰ３プレーヤが装着されると，前記電源が印加されて作動し，前記携帯用ＭＰ３プレーヤからオーディオ信号の入力を受けるとスピーカを通じて出力し，前記携帯用ＭＰ３プレーヤに備わる表示部を共有可能なカーオーディオ本体とを備えることを特徴とする，カーオーディオシステム。
【請求項２】
前記携帯用ＭＰ３プレーヤが前記カーオーディオ本体間の信号を制御するための第２インターフェース部をさらに備えることを特徴とする，請求項１に記載のカーオーディオシステム。
【請求項３】
前記カーオーディオ本体が前記携帯用ＭＰ３プレーヤ間の信号を制御するための第１インターフェース部をさらに備えることを特徴とする，請求項１又は２に記載のカーオーディオシステム。
【請求項４】
前記インターフェース部は，汎用非同期バス制御器であることを特徴とする，請求項２又は３に記載のカーオーディオシステム。
【請求項５】
前記インターフェース部は，ＩＥＥＥ１３９４制御器であることを特徴とする，請求項２又は３に記載のカーオーディオシステム。
【請求項６】
カーオーディオシステムにおいて，
固有の認証コードを持ち，所定の表示データの入力を受けて表示する表示部を備える携帯用ＭＰ３プレーヤと；
固有の認証コードを保持し，前記携帯用ＭＰ３プレーヤが一体化するように装着されると，前記携帯用ＭＰ３プレーヤの装着時，前記携帯用ＭＰ３プレーヤの認証コードと前記保持している認証コードを比較し，その結果同一である場合，作動し，前記携帯用ＭＰ３プレーヤからオーディオ信号の入力を受けるとスピーカを通じて出力し，前記携帯用ＭＰ３プレーヤが備える表示部を共有可能なカーオーディオ本体とを備えること特徴とする，カーオーディオシステム。
【請求項７】
前記カーオーディオ本体は，該カーオーディオ本体の機能モードによって生成されるオーディオ信号の入力を受け，前記携帯用ＭＰ３プレーヤの未装着時はオフになり，装着時はターンオンして前記オーディオ信号を前記スピーカを通じて出力するスイッチ部をさらに備えることを特徴とする，請求項６に記載のカーオーディオシステム。
【請求項８】
前記携帯用ＭＰ３プレーヤは，前記カーオーディオ本体間の信号を制御するための第２インターフェース部をさらに備えることを特徴とする，請求項６又は７に記載のカーオーディオシステム。
【請求項９】
前記カーオーディオ本体は，前記携帯用ＭＰ３プレーヤ間の信号を制御するための第１インターフェース部をさらに備えることを特徴とする，請求項６又は７に記載のカーオーディオシステム。
【請求項１０】
前記インターフェース部は，汎用非同期バス制御器であることを特徴とする，請求項８又は９に記載のカーオーディオシステム。
【請求項１１】
前記インターフェース部は，ＩＥＥＥ１３９４制御器であることを特徴とする，請求項８又は９に記載のカーオーディオシステム。
【請求項１２】
固有の認証コードを保持している携帯用ＭＰ３プレーヤと，前記携帯用ＭＰ３プレーヤと一体化するように装着され，接続される固有の認証コードを保持しているカーオーディオ本体とから構成されるカーオーディオシステムの制御方法において：
前記携帯用ＭＰ３プレーヤと前記カーオーディオ本体とが接続する過程と；
前記携帯用ＭＰ３プレーヤと前記カーオーディオ本体とが接続すると前記携帯用ＭＰ３プレーヤが前記認証コードを前記カーオーディオ本体に転送する過程と；
前記カーオーディオ本体が前記携帯用ＭＰ３プレーヤ側の認証コードと自装置が保有する認証コードとを比較して一致する否かを検査し，その結果一致した場合，前記カーオーディオ本体の機能を活性化する過程とを含むことを特徴とする，カーオーディオシステム制御方法。
【請求項１３】
前記カーオーディオ本体が認証コード転送要求信号を前記携帯用ＭＰ３プレーヤに転送し，これに応答して前記携帯用ＭＰ３プレーヤが前記認証コードを前記カーオーディオ本体に転送することを特徴とする，請求項１２に記載のカーオーディオシステム制御方法。
【発明の詳細な説明】
【技術分野】
【０００１】
本発明は，カーオーディオシステムに関するもので，特に携帯用ＭＰ３プレーヤを着脱することが可能なカーオーディオシステム及びカーオーディオシステム制御方法に関する。
【背景技術】
【０００２】
現在では，多くの車両には，例えば運転者が運転中の楽しさを味わうための目的でカーオーディオシステムが装着される場合が一般的になりつつある。
【０００３】
現在のカーオーディオシステムには，ラジオ，テープレコーダーデッキ，ＣＤプレーヤ，テレビ，ＤＶＤプレーヤ，またはＭＰ３プレーヤなどのような多様な装置またはシステムなどが追加されている。
【０００４】
通常，上記ＣＤプレーヤ，ＤＶＤプレーヤ，ＭＰ３プレーヤは丸型の同一な大きさを持つＣＤまたはＤＶＤメディア等の記録媒体を使っているので一つの同一デッキを使用し，ＣＤ，ＤＶＤ，ＭＰ３フォーマット全てを読み取ることができる一つのレンズを使っている。
【０００５】
しかし，従来のカーオーディオシステムではディスク（又は，記録媒体）上に保存されたＭＰ３ファイルのみ再生するだけで，フラッシュメモリなどのようなメモリに保存された音楽は聴くことができなかった。
【０００６】
フラッシュメモリなどに記録されたＭＰ３などのような音楽ファイルを読み取って再生するためにはメモリを持つ別途のＭＰ３プレーヤを買ってカーオーディオシステムと前記ＭＰ３プレーヤをライン接続するためのカセットテープ型のカーパックまたは周波数変調（Ｆｒｅｑｕｅｎｃｙ  Ｍｏｄｕｌａｔｉｏｎ：  ＦＭ）方式の別途の連結装置を備えなければならない。
【０００７】
このように最近車両内に装着されるカーオーディオシステムは多様なＭＰ３プレーヤを含む複合装置に発展することにより高価で取引が行われているし，運転者が前記別途のＭＰ３プレーヤと連結装置を買う場合にはさらに多額の費用がかかることになる。
【発明の開示】
【発明が解決しようとする課題】
【０００８】
しかしながら，カーオーディオシステムは上記に示したように非常に高価なものであるため，そのカーオーディオシステムを狙って，カーオーディオシステムが盗難される場合も頻繁に発生している。
【０００９】
一方で，従来に係るカーオーディオシステムはメモリに保存されたＭＰ３ファイルを再生することができず，メモリに保存されたＭＰ３ファイルを視聴するためには，別途にＭＰ３プレーヤと，当該ＭＰ３プレーヤ及びカーオーディオシステムを接続する別途の接続装置とを準備しなければならず，費用が新たに発生してしまう。
【００１０】
また，上記接続装置を使用する場合，ＭＰ３プレーヤで再生した音声信号がカーオーディオシステムに転送する上で，接続装置（ケーブルなど）によって音質の劣化が発生してしまうのみならず，車両内部が接続装置の存在によって雑然としてしまう等，景観上良い印象をユーザに与えることができない。
【００１１】
また，従来に係るカーオーディオシステムと分離して他の車両に装着しても同様にＭＰ３プレーヤが作動するので，そのＭＰ３プレーヤを狙って，盗難されやすいという問題点があった。
【００１２】
本発明は，上記問題点に鑑みてなされたものであり，本発明の目的は，携帯用ＭＰ３プレーヤを着脱可能な，新規かつ改良されたカーオーディオシステムと，カーオーディオシステム制御方法を提供することである。
【課題を解決するための手段】
【００１３】
上記課題を解決するため，本発明の第１の観点によれば，カーオーディオシステムが提供される。上記カーオーディオシステムは，車両の電源の印加によって動作し，所定の表示データの入力を受けて表示する表示部を備える携帯用ＭＰ３プレーヤと；携帯用ＭＰ３プレーヤと一体化するように装着可能であり，前記携帯用ＭＰ３プレーヤが装着されると，前記電源が印加されて作動し，前記携帯用ＭＰ３プレーヤからオーディオ信号の入力を受けるとスピーカを通じて出力し，前記携帯用ＭＰ３プレーヤに備わる表示部を共有可能なカーオーディオ本体とを備えることを特徴としている。
【００１４】
上記携帯用ＭＰ３プレーヤがカーオーディオ本体間の信号を制御するための第２インターフェース部をさらに備えるように構成してもよい。
【００１５】
上記カーオーディオ本体が前記携帯用ＭＰ３プレーヤ間の信号を制御するための第１インターフェース部をさらに備えるように構成してもよい。
【００１６】
上記インターフェース部は，汎用非同期バス制御器であるようにしてもよく，上インターフェース部は，ＩＥＥＥ１３９４制御器であるようにしてもよい。
【００１７】
上記課題を解決するために，本発明の別の観点によれば，カーオーディオシステムが提供される。カーオーディオシステムは，固有の認証コードを持ち，所定の表示データの入力を受けて表示する表示部を備える携帯用ＭＰ３プレーヤと；固有の認証コードを保持し，前記携帯用ＭＰ３プレーヤが一体化するように装着されると，前記携帯用ＭＰ３プレーヤの装着時，前記携帯用ＭＰ３プレーヤの認証コードと前記保持している認証コードを比較し，その結果同一である場合，作動し，前記携帯用ＭＰ３プレーヤからオーディオ信号の入力を受けるとスピーカを通じて出力し，前記携帯用ＭＰ３プレーヤが備える表示部を共有可能なカーオーディオ本体とを備えること特徴としている。
【００１８】
上記カーオーディオ本体は，該カーオーディオ本体の機能モードによって生成されるオーディオ信号の入力を受け，前記携帯用ＭＰ３プレーヤの未装着時はオフになり，装着時はターンオンして前記オーディオ信号を前記スピーカを通じて出力するスイッチ部をさらに備えるようにしてもよい。
【００１９】
上記課題を解決するために，本発明の別の観点によれば，固有の認証コードを保持している携帯用ＭＰ３プレーヤと，前記携帯用ＭＰ３プレーヤと一体化するように装着され，接続される固有の認証コードを保持しているカーオーディオ本体とから構成されるカーオーディオシステムの制御方法が提供される。上記カーオーディオシステム制御方法は，携帯用ＭＰ３プレーヤと前記カーオーディオ本体とが接続する過程と；携帯用ＭＰ３プレーヤと前記カーオーディオ本体とが接続すると前記携帯用ＭＰ３プレーヤが前記認証コードを前記カーオーディオ本体に転送する過程と；カーオーディオ本体が携帯用ＭＰ３プレーヤ側の認証コードと自装置が保有する認証コードとを比較して一致する否かを検査し，その結果一致した場合，カーオーディオ本体の機能を活性化する過程とを含むことを特徴としている。
【００２０】
カーオーディオ本体が認証コード転送要求信号を前記携帯用ＭＰ３プレーヤに転送し，これに応答して前記携帯用ＭＰ３プレーヤが前記認証コードを前記カーオーディオ本体に転送するように構成してもよい。
【００２１】
上記課題を解決するために，本発明の別の観点によれば，カーオーディオシステムが提供され，そのカーオーディオシステムは，車両の電源を引加され，所定の表示データの入力を受けて表示する表示部を備える携帯用ＭＰ３プレーヤと，前記携帯用ＭＰ３プレーヤが一体化になるように装着され，前記携帯用ＭＰ３プレーヤの装着時前記電源を引加されて作動し，前記ＭＰ３プレーヤからオーディオ信号の入力を受けてスピーカを通じて出力するし，前記表示部を共有するカーオーディオ本体からなることを特徴とする。
前記の目的を達成するための本発明の他の装置は，カーオーディオシステムにおいて，固有の認証コードを保存しているし，所定の表示データの入力を受けて表示する表示部を備える携帯用ＭＰ３プレーヤと，固有の設定認証コードを保存しているし，暗記携帯用ＭＰ３プレーヤが一体化になるように装着され，前記携帯用ＭＰ３プレーヤの装着時前記ＭＰ３プレーヤの認証コードと前記保存されている設定認証コードを比較して同一である場合作動し前記ＭＰ３プレーヤからオーディオ信号の入力を受けてスピーカを通じて出力するし，前記表示部を共有するカーオーディオ本体からなることを特徴とする。
前記の目的を達成するための本発明の方法は，固有の認証コードを保存している携帯用ＭＰ３プレーヤと前記携帯用ＭＰ３プレーヤが一体化になって装着され接続されるし，固有の設定認証コードを保存しているカーオーディオ本体から構成される盗難防止カーオーディオシステムの制御方法において，前記ＭＰ３プレーヤと前記本体が接続する過程と，前記ＭＰ３プレーヤと前記本体が接続すると前記ＭＰ３プレーヤが前記認証コードを前記本体へ転送する過程と，前記本体が前記認証コードと設定認証コードを比較して一致するかを検査し一致すると前記本体の機能を活性化する過程からなることを特徴とする。
【００２２】
上記課題を解決するために，本発明の別の観点によれば，カーオーディオシステムが提供される。そのカーオーディオシステムは，車両の電源を引加され，所定の表示データの入力を受けて表示する表示部を備える携帯用ＭＰ３プレーヤと；携帯用ＭＰ３プレーヤが一体化になるように装着され，携帯用ＭＰ３プレーヤの装着時前記電源を引加されて作動し，前記ＭＰ３プレーヤからオーディオ信号の入力を受けてスピーカを通じて出力するし，前記表示部を共有するカーオーディオ本体と；からなることを特徴としている。
【００２３】
上記において，携帯用ＭＰ３プレーヤが前記カーオーディオ本体間の信号を制御するための第２インターフェース部をさらに含むようにしてもよい。
【００２４】
上記において，カーオーディオ本体が携帯用ＭＰ３プレーヤ間の信号を制御するための第１インターフェース部をさらに含むようにしてもよい。
【００２５】
上記において，インターフェース部が汎用非同期バス制御機であるようにしてもよく，インターフェース部がＩＥＥＥ１３９４制御機であるようにしてもよい。
【００２６】
上記課題を解決するために，本発明の別の観点によれば，カーオーディオシステムが提供される。上記カーオーディオシステムは，固有の認証コードを持っているし，所定の表示データの入力を受けて表示する表示部を備える携帯用ＭＰ３プレーヤと；固有の設定認証コードを保存しているし，前記携帯用ＭＰ３プレーヤが一体化になるように装着され，携帯用ＭＰ３プレーヤの装着時前記ＭＰ３プレーヤの認証コードと前記保存されている設定認証コードを比較して同一である場合作動し，前記ＭＰ３プレーヤからオーディオ信号の入力を受けてスピーカを通じて出力するし，前記表示部を共有するカーオーディオ本体からなることを特徴としている。
【００２７】
上記において，カーオーディオ本体が，上記カーオーディオ本体の機能モードによって生成されるオーディオ信号の入力を受け，前記携帯用ＭＰ３プレーヤの未装着時オフになり，装着時ターンオンされて前記オーディオ信号を前記スピーカを通じて出力するスイッチ部をさらに備えるようにしてもよい。
【００２８】
上記において，携帯用ＭＰ３プレーヤがカーオーディオ本体間の信号を制御するための第２インターフェース部をさらに含むようにしてもよい。
【００２９】
上記において，カーオーディオ本体が前記携帯用ＭＰ３プレーヤ間の信号を制御するための第１インターフェース部をさらに含むようにしてもよい。
【００３０】
上記において，インターフェース部が汎用非同期バス制御機であるようにしてもよく，インターフェース部がＩＥＥＥ１３９４制御機であるようにしてもよい。
【００３１】
上記課題を解決するために，本発明の別の観点によれば，固有の認証コードを保存している携帯用ＭＰ３プレーヤと前記携帯用ＭＰ３プレーヤが一体化になって装着され接続されるし，固有の設定認証コードを保存しているカーオーディオ本体から構成される盗難防止カーオーディオシステムの制御方法が提供される。上記盗難防止カーオーディオシステムの制御方法は，ＭＰ３プレーヤと前記本体が接続する過程と；ＭＰ３プレーヤと前記本体が接続すると前記ＭＰ３プレーヤが前記認証コードを前記本体へ転送する過程と；本体が前記認証コードと設定認証コードを比較して一致するかを検査し一致すると前記本体の機能を活性化する過程からなることを特徴としている。
【００３２】
上記において，本体が認証コード転送要求信号を転送し，これに応答して携帯用ＭＰ３プレーヤが認証コードを本体に転送するように構成してもよい。
【発明の効果】
【００３３】
以上説明したように，本発明によれば，カーオーディオシステム本体に携帯用ＭＰ３プレーヤを着脱できる。さらに携帯用ＭＰ３プレーヤを装着しないとカーオーディオシステム本体が作動しない。
【発明を実施するための最良の形態】
【００３４】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３５】
なお，以下の説明では本発明に係る実施形態による動作を理解するための必要な部分のみ説明するし，それ以外の部分の説明は本発明に係る実施形態の要旨から外れないように省略することに留意しなければならない。
【００３６】
本実施の形態に係るカーオーディオシステムは，ＭＰ３プレーヤを着脱可能である。またカーオーディオシステムは，マルチメディア装置が装着された場合，当該装着されたカーオーディオシステムが作動できる。
【００３７】
運転者が車両から離れる場合，上記ＭＰ３プレーヤをカーオーディオから分離して持って降りると，盗難されたカーオーディオシステムが他の車両に適用できないようにすることで盗難の可能性を減らすことができる盗難防止カーオーディオシステムを提案する。
【００３８】
以下の説明では，便宜上，ＭＰ３プレーヤとＭＰ３プレーヤが装着されるカーオーディオシステムを本体とし，ＭＰ３プレーヤと本体を含むシステムをカーオーディオシステムとする。
【００３９】
図１は，本実施形態に係る盗難防止カーオーディオシステムの正面図を表す説明図で，図２は本実施形態に係る盗難防止カーオーディオシステムの概略的な構成を表すブロック図である。
【００４０】
以下，図１，図２を参照すると，図面に参照された符号１００はカーオーディオシステム本体で，符号２００は携帯用ＭＰ３プレーヤである。
【００４１】
カーオーディオシステム本体１００は後で述べる音響を処理して出力するオーディオ処理部及びスピーカをＭＰ３プレーヤ２００と共有し，携帯用ＭＰ３プレーヤ２００はカーオーディオシステムの作動モード，チャンネル，音量の大きさなどのような多様な情報を視覚的に見せるための表示部を本体１００と共有する。
【００４２】
図２に示すように，本体１００は，制御部１１０と貯蔵部１２０とキー入力部１３０とオーディオ処理部１５０と第１インターフェース部１６０とスイッチ部１７０と第１コネクタ１８０とを備える。
【００４３】
制御部１１０は，本実施の形態に係る携帯用ＭＰ３プレーヤ２００を着脱できる盗難防止カーオーディオシステムの全般的な動作を制御する。
【００４４】
貯蔵部１２０は盗難防止カーオーディオシステム１００を制御するための制御プログラムを保存し，また第２の実施形態に係る認証コードなどを保存する。
【００４５】
キー入力部１３０はチャンネル選択，音量の大きさ調節，モード選択などのための多数のキーを備え，上記キーに対するキーデータを生成して制御部１１０に出力する。
【００４６】
第１コネクタ１８０は上記携帯用ＭＰ３プレーヤ２００と物理的な接続点を提供する。  第１インターフェース部１６０は前記携帯用ＭＰ３プレーヤ２００との信号インターフェースを制御する。
【００４７】
第１インターフェース１６０は汎用非同期バスまたはＩＥＥＥ１３９４などのようなインターフェース制御機が使われることも可能である。
【００４８】
また，第１インターフェース部１６０は別途の方式を使うことも可能である。
【００４９】
また，第１インターフェース部１６０は第１連結感知部１６５を含めて携帯用ＭＰ３プレーヤ２００に連結される時，これを感知し前記制御部１１０に接続信号を提供する。
【００５０】
オーディオ処理部１５０は，制御部１１０の制御を受けて第１コネクタ１８０と第１インターフェース１６０を通じて入力されるオーディオ信号またはスイッチ部１７０を通じて入力されるオーディオ信号を処理してスピーカを通じて出力する。
【００５１】
スイッチ部１７０は携帯用ＭＰ３プレーヤ２００が本体１００の第１コネクタ１８０に接続された時，制御部１１０の制御を受けてオンになりラジオ，ＣＤプレーヤ，テープレコーダまたはＤＶＤプレーヤから入力されるオーディオ信号をオーディオ処理部１５０に出力する。
【００５２】
前記携帯用ＭＰ３プレーヤ２００が本体１００に連結されない場合には上記スイッチ部１７０はオフとなるため，本体１００は作動しなくなる。
【００５３】
また，スイッチ部１７０を電源部（図示しない）と連結し，携帯用ＭＰ３プレーヤ２００が連結された時オンになって本体１００の機能構成，例えばラジオ，ＣＤプレーヤ，テープレコーダ，またはＤＶＤプレーヤのうち少なくとも一つなどに電源を供給し，一方連結しない場合にはオフになって上記構成に電源を遮断するように構成することもできる。
【００５４】
上記の場合制御部１１０及び第１インターフェース部１６０が作動するための所定の電源は入力されなければならない。
【００５５】
本実施の形態による携帯用ＭＰ３プレーヤ２００は，ＭＰ３制御部２１０と，第２貯蔵部２２０と，第２キー入力部２３０と，表示部２４０と，第２オーディオ処理部２５０と，第２インターフェース部２６０と，イヤーホーンジャック２８０とマイクとを備えている。
【００５６】
ＭＰ３制御部２１０は，携帯用ＭＰ３プレーヤ２００の全般的な作動を制御する。第２貯蔵部２２０は本発明による制御プログラム及び貯蔵部１２０に保存されている認証コードと同一な認証コードを保存している。
【００５７】
フラッシュメモリ２２５は，ＭＰ３ファイル及びレコーディングファイル等のデータを記憶することが可能である。
【００５８】
第２キー入力部２２０は，ＭＰ３ファイルの検索及び選択そしてモードを設定するためのキーを備え，押下されたキーに対応するキーデータを生成して出力するが，かかる例に限定されない。
【００５９】
第２インターフェース部２６０は，本体１００との信号をインターフェースしながら，第１インターフェース部１６０と同一な方式を使う。
【００６０】
第２表示部２４０は，前記ＭＰ３制御部２１０の制御を受けてフラッシュメモリ２２５に保存されたファイルに対するファイル名及び多様な作動情報を表示し，本体１００と連結時，本体１００から入力される表示データを第２インターフェース部２６０及び制御部２１０を通じて入力されて表示する。
【００６１】
第２オーディオ処理部２５０は前記ＭＰ３制御部２１０の制御を受けてマイクを通じて入力されるオーディオ信号または第２インターフェース部２６０から入力されるオーディオ信号をエンコーディングして前記フラッシュメモリ２２５に保存し，前記フラッシュメモリ２２５に保存されたＭＰ３ファイル及びレコーディングファイルの入力を受けてディコディングしてイヤホンジャック２８０に出力する。なお，イヤホンジャック２８０は，イヤホンに対して信号を送信する場合を例示することができるが，かかる例に限定されず，例えば，イヤホンジャック２８０は，ヘッドホン等に対しても信号を送信する場合でもよい。
【００６２】
本実施の形態では，携帯用ＭＰ３プレーヤ２００がカーオーディオシステム本体１００に対して，例えば車両のキー（鍵）の役割を果たす。即ち，上記携帯用ＭＰ３プレーヤ２００が本体１００に連結されないと本体１００は作動しない。
【００６３】
本実施の形態では，携帯用ＭＰ３プレーヤ２００が上記車両のキー機能を遂行するようにする方法でハードウェア的な方法とソフトウェア的な方法を使用する。
【００６４】
先ず，図３を参照しながら，第１の実施形態にかかるハードウェア的な盗難防止方法について説明する。図３は，第１の実施の形態に係る盗難防止に関する概念的な構成を説明するための説明図である。
【００６５】
図３に示すように，バッテリ３００の電源は，図２に示す本体１００に提供する。しかし，バッテリ３００の電源は，本体１００に備わる各構成要素に入力されない。
【００６６】
上記バッテリ３００の電源は，携帯用ＭＰ３プレーヤ２００が本体１００に接続すると，携帯用ＭＰ３プレーヤ２００の第２連結感知部２６５を経て本体１００の第１連結感知部１６５に入力する。
【００６７】
それから第１連結感知部１６５は，本体１００の各構成要素に電源を供給する。即ち携帯用ＭＰ３プレーヤ２００が本体に接続されないと，本体１００に備わるオーディオ処理部１５０等の各構成要素には電源が供給されないため作動しない。
【００６８】
図４は，第２の実施の形態に係る盗難防止に関する概念的な構成について示す説明図である。図４を参照しながら，第２の実施の形態に係るソフトウェア的な盗難防止方法について説明する。
【００６９】
第２の実施の形態では，上記図２を参照しながら説明したように，携帯用ＭＰ３プレーヤ２００と本体１００が認証コードを保持し，当該認証コードが一致する場合のみ，図２に示すスイッチ部１７０が活性化し，本体１００が作動するようにするものである。
【００７０】
まず，携帯用ＭＰ３プレーヤ２００は，第１コネクタ１８０と第２コネクタ２７０が物理的に連結されると，ステップ３０１段階で，第２連結感知部２６５を通じて連結を感知し，接続確認信号を本体１００に転送する。
【００７１】
そうすると本体１００は，ステップ３０５段階で認証コードを転送することを要求する要求信号を，携帯用ＭＰ３プレーヤ２００に転送する。
【００７２】
携帯用ＭＰ３プレーヤ２００は，認証コード転送要求に応答して第２貯蔵部２２０に保存されている認証コードをステップ３０７段階で本体１００に転送する。
【００７３】
次に，認証コードの入力を受けた本体１００は，本体１００自身が貯蔵部１２０に保持している認証コードと上記入力された認証コードとを比較し，同一である否かを判断する。
【００７４】
次に，ステップ３０９段階で本体１００は，認証コードの応答信号を転送する。
【００７５】
上記認証コードの応答信号には，二つの形態があり，まず一つ目は上記入力された認証コードと本体１００自身が持っている認証コードが同一の場合に，携帯用ＭＰ３プレーヤ２００に転送される認証確認信号である。
【００７６】
残りの他の一つは上記二つの認証コードが異なる場合に，携帯用ＭＰ３プレーヤ２００に転送される認証失敗信号である。
【００７７】
上記認証失敗信号は，「認証コードが異なります。  本体を使う事ができません。」などのメッセージを含んでもよい。
【００７８】
また，図４では，携帯用ＭＰ３プレーヤ２００が接続確認信号を送る場合を表したもので，本体１００が接続確認信号を送ることも実施可能である。
【００７９】
また，図４では，携帯用ＭＰ３プレーヤ２００は認証コード転送要求信号を受けた後，認証コードを転送しているが，認証コード転送要求信号の受信せずに接続が確認されると第２貯蔵部２２０に保存された認証コードをそのまま本体１００に転送することもできる。
【００８０】
図５は，第２の実施の形態によるカーオーディオシステム本体での盗難防止制御方法を表したフローチャートである。図５を参照しながら，本体１００での認証コードによる認証過程を具体的に説明する。
【００８１】
まず，制御部１１０は，ステップ４０１段階で携帯用ＭＰ３プレーヤ２００が連結されているかを検査する。
【００８２】
図４に示すステップ３０１段階における処理のように接続確認信号を受信すると制御部１１０は，ステップ４０３段階に進行し，携帯用ＭＰ３プレーヤ２００から認証コードが入力されているかを検査する。
【００８３】
制御部１１０は，上記ステップ４０３段階で認証コードが入力されると，次にステップ４０５段階に進行し，その認証コードを貯蔵部１２０に一旦保存（なお，貯蔵部１２０に保存せずＲＡＭ等のメモリにキャッシュする場合でもよい。）し，ステップ４０７段階で上記入力された認証コードと貯蔵部１２０に既に設定されている認証コードが一致するかを比較する。
【００８４】
上記ステップ４０７段階で，認証コードが同一であれば，次にステップ４０９段階でスイッチ部１７０をターンオンして本体１００の機能を活性化させる。
【００８５】
上記図３〜図５の方法によって携帯用ＭＰ３プレーヤ２００が本体に連結されると携帯用ＭＰ３プレーヤ２００は本体１００のオーディオ処理部１５０及びスピーカ等を活性化し，相互に共有することができる。
【００８６】
したがって，携帯用ＭＰ３プレーヤ２００のフラッシュメモリ２２５に保存されているＭＰ３ファイル及びレコーディングファイルを本体１００のスピーカを通じて出力することもできる。
【００８７】
そして，本体１００は，携帯用ＭＰ３プレーヤ２００の表示部２４０を共有してラジオ，ＣＤプレーヤ，カセットテープ，ＤＶＤプレーヤなどの作動によるチャンネル情報，トラック情報，時間情報などのような多様な情報を表示することができる。
【００８８】
上記本体１００のオーディオ処理部１５０及びスピーカと携帯用ＭＰ３プレーヤ２００の表示部を相互共有して使うための方法を以下図６〜図７を参照して説明する。
【００８９】
図６は，本実施の形態によって携帯用ＭＰ３プレーヤからカーオーディオシステム本体１００の方にオーディオ信号を転送するためのオーディオ信号転送順序を示した説明図である。
【００９０】
先ず，ステップ５０１段階で上記図３〜図５の方法によって携帯用ＭＰ３プレーヤ２００と本体１００が接続された後に，携帯用ＭＰ３プレーヤ２００は，ステップ５０３段階でＭＰ３再生キーが入力できるのかを判断し，再生キーが入力されるとステップ５０５段階でオーディオ信号出力要求信号を本体１００に転送する。
【００９１】
上記オーディオ信号の出力要求信号を転送する理由は，本体１００が作動中である場合，本体１００の作動を中止させるためのものである。
【００９２】
オーディオ信号の出力要求を受信した本体１００の制御部１１０は作動中であるモードを終了し，ステップ５０７段階でオーディオ信号の出力許可信号を携帯用ＭＰ３プレーヤ２００の方に転送する。
【００９３】
上記オーディオ信号出力許可信号を受信した携帯用ＭＰ３プレーヤ２００は，ステップ５０９段階でフラッシュメモリ２２５からＭＰ３ファイル及びレコーディングファイルを読み取り，本体１００に転送する。
【００９４】
図７は本実施の形態によって，カーオーディオ本体１００から携帯用ＭＰ３プレーヤ２００の方に表示データを転送するための表示データ転送順序を示す説明図である。
【００９５】
上記ステップ５０１段階のように，ステップ６０１段階で本体１００と携帯用ＭＰ３プレーヤ２００が接続すると，ステップ６０３段階で本体１００のキー入力部１３０からラジオ，ＣＤ，カセットテープまたはＤＶＤモードの中の任意のモードキーが入力するかを判断する。
【００９６】
上記ステップ６０３段階でモードキーの入力を受付けると，本体１００の制御部１１０は，ステップ６０５段階で表示データの表示要求信号を携帯用ＭＰ３プレーヤ２００に転送する。
【００９７】
上記表示データの表示要求信号を転送する理由は，前記携帯用ＭＰ３プレーヤ２００が表示部２４０を使用している場合，使用を終了させるためである。
【００９８】
前記表示データ表示要求信号を受信した携帯用ＭＰ３プレーヤ２００は固有のＭＰ３プレーヤの作動を中止させ，ステップ６０７段階で本体１００が表示部２４０の使用する事ができるのを許可する表示許可信号を本体１００に転送する。
【００９９】
表示許可信号を受信した本体１００は，ステップ６０９段階で当該モードによる表示データをＭＰ３プレーヤ部２００に転送する。
【０１００】
例えば，ラジオモードに選択された場合，表示データはラジオチャンネル情報，音響モード情報，フリーセット情報などになり得るし，ＣＤまたはＤＶＤモードである場合にはトラック情報，音響モード情報，プレー時間情報などになり得る。
【０１０１】
また，本実施の形態では本体１００から出力されるオーディオ信号を携帯用ＭＰ３プレーヤ２００でレコーディングすることができる。
【０１０２】
図８は，本実施の形態によってカーオーディオ本体から出力されるオーディオ信号を携帯用ＭＰ３プレーヤでレコーディングする方法を示したフローチャートである。
【０１０３】
携帯用ＭＰ３プレーヤ２００のＭＰ３制御部２１０はステップ８０１段階で第２キー入力部２３０からレコーディングキーが入力できるのかを検査する。
【０１０４】
上記ステップ８０１段階でレコーディングキーが入力されるとＭＰ３制御部２１０は，ステップ８０２段階に進行し，オーディオ信号入力要求メッセージを本体１００に転送する。
【０１０５】
上記オーディオ信号入力要求メッセージ送信後，ＭＰ３制御部２１０はステップ８０３段階に進行し，本体１００からオーディオ信号が入力されるかどうかを検査する。
【０１０６】
オーディオ信号が入力されているとＭＰ３制御部２１０はステップ８０４段階へ進行し，一方でオーディオ信号が入力されなかった場合，ステップ８１３段階の方に進行する。
【０１０７】
上記ステップ８１３段階では，ＭＰ３制御部２１０は表示部２４０に例えば「Ｎｏ  Ｓｉｇｎａｌ」等というメッセージを表示して終了する。
【０１０８】
ステップ８０４段階では，ＭＰ３制御部２１０はフラッシュメモリ２２５に保存可能な記憶空間（保存空間）があるかどうか検査する。
【０１０９】
フラッシュメモリ２２５に保存可能な記憶空間（記憶領域）がなくなったらステップ８１１段階の方に進行し，表示部２４０に例えば「空き容量が少なくなりました。」等という保存空間不足通報メッセージを表示して終了する。
【０１１０】
保存空間がまだあれば，ＭＰ３制御部２１０はステップ８０５段階に進行し，入力されるオーディオ信号をエンコーディングし始める。
【０１１１】
オーディオ信号のエンコーディングが始まるとＭＰ３制御部２１０は，ステップ８０７段階を周期的に遂行し，レコーディング停止キーが第２入力部２３０から入力されるのかを検査する。
【０１１２】
上記エンコーディング中，停止キーが入力されるとＭＰ３制御部２１０は，ステップ８０９段階に進行し，レコーディングデータファイル名を入力して設定した後フラッシュメモリ２２５に保存する。
【０１１３】
上記レコーディングデータファイル名は子音及び母音の選択方式によって使用者が直接入力可能であり，又は一定のパターンによって任意に設定可能でもある。
【０１１４】
以上によって，本実施の形態にかかるカーオーディオシステム１００と携帯用ＭＰ３プレーヤについての説明が終了する。なお，かかる装置によって以下に示すような優れた効果がある。
（１）カーオーディオシステム本体１００に携帯用ＭＰ３プレーヤ２００を装着した時のみ，カーオーディオシステム１００が作動するため，携帯用ＭＰ３プレーヤ２００も一緒に盗難にあわない限り，カーオーディオシステムの盗難を未然に防ぐことができる。
（２）カーオーディオシステム１００だけを盗んでも本体が作動しないため，泥棒がカーオーディオシステム１００を盗む欲求を減退させ，盗む対象から除外することができ，カーオーディオシステム１００の盗難を未然に防止できる。
（３）別途の接続装置を備えずに，フラッシュメモリに保存されたＭＰ３ファイルをカーオーディオシステム１００側で出力可能であり，ＭＰ３プレーヤを分離した際には，そのＭＰ３プレーヤ単体で音楽再生など通常に使用できる。
【０１１５】
なお，上述した一連の処理は，専用のハードウェアにより行うこともできるし，ソフトウェアにより行うこともできる。一連の処理をソフトウェアによって行う場合には，そのソフトウェアを構成するプログラムが，汎用のコンピュータやマイクロコンピュータ等の情報処理装置にインストールされ，上記情報処理装置をカーオーディオシステム１００及び／又はＭＰ３プレーヤ２００として機能させる。
【０１１６】
プログラムは，コンピュータに内蔵されている記録媒体としてのハードディスクやＲＯＭ等に予め記録しておくことができる。
【０１１７】
あるいはまた，プログラムは，ハードディスクドライブに限らず，フレキシブルディスク，ＣＤ−ＲＯＭ（Ｃｏｍｐａｃｔ  Ｄｉｓｃ  Ｒｅａｄ  Ｏｎｌｙ  Ｍｅｍｏｒｙ），ＭＯ（Ｍａｇｎｅｔｏ  Ｏｐｔｉｃａｌ）ディスク，ＤＶＤ（Ｄｉｇｉｔａｌ  Ｖｅｒｓａｔｉｌｅ  Ｄｉｓｃ），磁気ディスク，半導体メモリなどのリムーバブル記録媒体に，一時的あるいは永続的に格納（記録）しておくことができる。このようなリムーバブル記録媒体は，いわゆるパッケージソフトウエアとして提供することができる。
【０１１８】
なお，プログラムは，上述したようなリムーバブル記録媒体からコンピュータにインストールする他，ダウンロードサイトから，ディジタル衛星放送用の人工衛星を介して，コンピュータに無線で転送したり，ＬＡＮ（Ｌｏｃａｌ  Ａｒｅａ  Ｎｅｔｗｏｒｋ），インターネットといったネットワークを介して，コンピュータに有線で転送し，コンピュータでは，そのようにして転送されてくるプログラムを，内蔵するハードディスク等にインストールすることができる。
【０１１９】
ここで，本明細書において，コンピュータに各種の処理を行わせるためのプログラムを記述する処理ステップは，必ずしもフローチャートとして記載された順序に沿って時系列に処理する必要はなく，並列的あるいは個別に実行される処理（例えば，並列処理あるいはオブジェクトによる処理）も含むものである。
【０１２０】
また，プログラムは，１のコンピュータにより処理されるものであっても良いし，複数のコンピュータによって分散処理されるものであっても良い。
【０１２１】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【図面の簡単な説明】
【０１２２】
【図１】本実施の形態にかかるカーオーディオシステムの正面図である。
【図２】本実施の形態にかかるカーオーディオシステムの構成を表すブロック図である。
【図３】第１の実施の形態による盗難防止概念を説明するための説明図である。
【図４】第２の実施の形態による盗難防止概念を説明するための説明図である。
【図５】第２の実施の形態によるカーオーディオシステムの本体からの盗難防止制御方法を表すフローチャートである。
【図６】本実施の形態に係る携帯用ＭＰ３プレーヤからカーオーディオ本体の方にオーディオ信号を転送するためのオーディオ信号転送の順序を表す説明図である。
【図７】本実施の形態にかかるカーオーディオ本体から携帯用ＭＰ３プレーヤの方に表示データを転送するための表示データ転送順序を表す説明図である。
【図８】本実施の形態にかかるカーオーディオ本体から出力されるオーディオ信号を携帯用ＭＰ３プレーヤでレコーディングする順序を表す説明図である。
【符号の説明】
【０１２３】
２２５      フラッシュメモリ
２２０      第２貯蔵部
２８０      イヤホンジャック
２５０      第２オーディオ処理部
２１０      ＭＰ３制御部
２３０      第２キー入力部
２４０      表示部
２６０      第２インターフェース部
２６５      第２連結感知部
２７０      第２コネクタ
１８０      第１コネクタ
１６５      第１連結感知部
１６０      第１インターフェース部
１５０      オーディオ処理部
１１０      制御部
１３０      キー入力部
１７０      スイッチ部
１２０      貯蔵部
３００      バッテリ
２００      ＭＰ３プレーヤ部
１００      カーオーディオ
【図１】
2006155848.tif 000003
【図２】
2006155848.tif 000004
【図３】
2006155848.tif 000005
【図４】
2006155848.tif 000006
【図５】
2006155848.tif 000007
【図６】
2006155848.tif 000008
【図７】
2006155848.tif 000009
【図８】
2006155848.tif 000010